(57)【要約】【課題】  薄型化を促進でき、またカード装着領域の奥行き側に位置するハウジング後壁部を効果的に補強することが可能なカードコネクタを提供することを目的としている。【解決手段】  カードを挿入可能なカード装着領域２９を備える樹脂製のハウジング２１と、端子部材５５と、カード装着領域２９上を覆う金属カバー２２とを有する。金属カバー２２には、カード装着領域２９上に位置する天井板２２ａから、後壁部２５のカード装着領域２９に向く内面に向けて折り曲げられた後側板２２ｂが設けられている。ハウジングの後壁部２５の内面２５ｃには、金属カバーの後側板２２ｂと端子部材５５との間に、金属カバーの後側板２２ｂの下面と対向する突出形状の段差部３０が設けられている。【選択図】図２
2009170292.tif 000002
【特許請求の範囲】
【請求項１】
カードを挿入可能なカード装着領域を備えるハウジングと、前記カードに設けられた外部接続部に導通可能な複数の端子部材と、前記カード装着領域上を覆う金属カバーとを有し、
前記複数の端子部材は前記ハウジングの底部にて並設支持されるとともに、前記カード装着領域の奥行き側に位置する前記ハウジングの後壁部の外面から露出しており、
前記金属カバーには、前記カード装着領域上に位置する天井板から、前記ハウジングの後壁部の前記カード装着領域に向く内面あるいは外面に向けて折り曲げられた後側板が設けられており、前記金属カバーの後側板と対向する側の前記ハウジングの後壁部には、前記金属カバーの後側板と前記端子部材との間に、前記金属カバーの後側板の下面と対向する突出形状の段差部が設けられていることを特徴とするカードコネクタ。
【請求項２】
前記金属カバーの後側板は、前記ハウジングの後壁部の内面側に折り曲げられており、前記段差部が、前記金属カバーの後側板の下側にて前記ハウジングの後壁部の内面から突出して形成されている請求項１記載のカードコネクタ。
【請求項３】
並設された前記複数の端子部材の側方領域では、前記金属カバーの後側板は、前記ハウジングの後壁部の外面側に折り曲げられている請求項２記載のカードコネクタ。
【請求項４】
前記ハウジングの後壁部の内面と前記金属カバーの後側板間には係止手段が設けられる請求項２又は３に記載のカードコネクタ。
【請求項５】
前記段差部の上面には、前記金属カバーの後側板の下面が進入可能な溝部が設けられている請求項１ないし４のいずれかに記載のカードコネクタ。
【発明の詳細な説明】
【技術分野】
【０００１】
本発明は、薄型化を促進でき、またカード装着領域の奥行き側に位置するハウジング後壁部を効果的に補強することが可能なカードコネクタに関する。
【背景技術】
【０００２】
デジタルカメラやデジタルビデオカメラ、またはパーソナルコンピュータなどには、メモリカードと称される小型で薄型の電子機能カードが装着されて使用される。
【０００３】
この種の電子機能カードは、カードコネクタのカード装着領域内に挿入されて装着される。
【０００４】
下記特許文献１及び特許文献２にも記載あるように、カードコネクタは、カード装着領域を備える樹脂製のハウジングと、ハウジングの底部側に固定支持された複数本の端子部材と、カード装着領域上を覆う金属ケースとを有して構成される。
【０００５】
金属カバーはカード装着領域上に位置する天井板から、ハウジング後壁部の外面に向けて折り曲げられた後側板を備える。
【０００６】
ところで特許文献２のように、端子部材がハウジング後壁部の外面から外方に向けて突出した形態であると、金属カバーの側板と端子部材との距離が近づく。特に、ハウジングを薄型化すると、ますます金属カバーの後側板と端子部材との距離が近づくため金属カバーの後側板と端子部材間がショートしやすくなる等、電気的に不安定化し信頼性を低下させる原因となった。
【０００７】
また、金属カバーの後側板を、ハウジング後壁部の外面に向けて折り曲げると、金属カバーの後側板とハウジング後壁部の外面との間に隙間が生じやすい。このため、例えば、カードをカード装着領域に挿入し、カードがハウジング後壁部の内面に突き当てられた場合、金属カバーの後側板がハウジング後壁部の補強板として適切に機能しなかった。よって、ハウジング後壁部を補強するには、例えばハウジング後壁部を厚く形成する等の工夫が必要となり、カードコネクタの小型化を適切に促進できなかった。
【特許文献１】特開平１１−３２９６３３号公報
【特許文献２】特開２００５−３５３３７２号公報
【発明の開示】
【発明が解決しようとする課題】
【０００８】
そこで本発明は上記従来の課題を解決するためのものであり、薄型化を促進でき、またカード装着領域の奥行き側に位置するハウジング後壁部を効果的に補強することが可能なカードコネクタを提供することを目的としている。
【課題を解決するための手段】
【０００９】
本発明におけるカードコネクタは、
カードを挿入可能なカード装着領域を備えるハウジングと、前記カードに設けられた外部接続部に導通可能な複数の端子部材と、前記カード装着領域上を覆う金属カバーとを有し、
前記複数の端子部材は前記ハウジングの底部にて並設支持されるとともに、前記カード装着領域の奥行き側に位置する前記ハウジングの後壁部の外面から露出しており、
前記金属カバーには、前記カード装着領域上に位置する天井板から、前記ハウジングの後壁部の前記カード装着領域に向く内面あるいは外面に向けて折り曲げられた後側板が設けられており、前記金属カバーの後側板と対向する側の前記ハウジングの後壁部には、前記金属カバーの後側板と前記端子部材との間に、前記金属カバーの後側板の下面と対向する突出形状の段差部が設けられていることを特徴とするものである。
【００１０】
本発明のカードコネクタの構造によれば、金属カバーの後側板と端子部材との電気的接触を適切に防止でき、電気的信頼性を維持しつつ、薄型化を促進することが可能である。
【００１１】
本発明では、前記金属カバーの後側板は、前記ハウジングの後壁部の内面側に折り曲げられており、前記段差部が、前記金属カバーの後側板の下側にて前記ハウジングの後壁部の内面から突出して形成されていることが好ましい。これにより、適切にハウジング後壁部を金属カバーの後側板にて補強できる。
【００１２】
また本発明では、並設された前記複数の端子部材の側方領域では、前記金属カバーの後側板は、前記ハウジングの後壁部の外面側に折り曲げられていることが好ましい。これにより、金属カバーの後側板が、ハウジング後壁部の内面及び外面の双方を挟み込む形となり、外力により金属カバーがハウジング後壁部から外れるのを適切に防止できる。
【００１３】
また上記において、前記ハウジングの後壁部の内面と前記金属カバーの後側板間には係止手段が設けられることが好ましい。これにより、金属カバーがハウジング後壁部から外れるのを効果的に防止できる。特に、係止手段をハウジング後壁部の内面に設けるので、より効果的に金属カバーをハウジング後壁部に係止できると共に、係止手段がハウジング後壁部の外面から突出する形態に比べてカードコネクタの小型化を促進できる。
【００１４】
また本発明では、前記段差部の上面には、前記金属カバーの後側板の下面が進入可能な溝部が設けられていることが好ましい。
【発明の効果】
【００１５】
本発明のカードコネクタの構造によれば、金属カバーの後側板と端子部材との電気的接触を適切に防止でき、電気的信頼性を維持しつつ、薄型化を促進することが可能である。
【発明を実施するための最良の形態】
【００１６】
図１はカードコネクタ２０の平面図、図２は、図１に示すＡ−Ａ線から高さ方向に切断し矢印方向から見たカードコネクタ２０の断面図、図３は、図２に示すＢで囲まれた部分の拡大断面図、図４は、図１に示す矢印Ｃ方向（カードコネクタ２０の背面側）から見たカードコネクタの背面図、図５は図１に示すカードコネクタ２０から金属カバーを外した状態を示す平面図、図６は、カード装着領域にカードを挿入した状態を示すカードコネクタ２０の斜視図（ただし金属カバーを図面から除去している）、図７は、ハウジング後端部付近の拡大斜視図、図８は、金属カバーを背面側から見た斜視図、図９は、カードが必要以上にカード装着領域内に挿入された状態を示すカードコネクタ２０の斜視図、である。
【００１７】
各図に示すＹ１−Ｙ２方向は、カードの挿入および排出方向を示し、Ｘ１−Ｘ２方向は、Ｙ１−Ｙ２方向に直交するカードコネクタ２０の幅方向を示す。
【００１８】
図１に示すように、カードコネクタ２０は、ハウジング２１、及び金属カバー２２を備えて構成される。ハウジング２１は、合成樹脂で形成された絶縁性である。
【００１９】
図２、図５、図６に示すように、ハウジング２１は枠体形状である。ハウジング２１は、前壁部２４、後壁部２５、右壁部２６、左壁部２７および底壁部２８が一体に形成されている。前壁部２４の上面２４ａ、後壁部２５の上面２５ａ、右壁部２６の上面２６ａならびに左壁部２７の上面２７ａは、互いに同一面である。
【００２０】
図１と図２に示すように、金属カバー２２の天井板２２ａは、ハウジング２１の各上面２４ａ，２５ａ，２６ａ，２７ａに密着するように設置されている。金属カバー２２には、天井板２２ａから直角に折り曲げられて一体的に形成された後側板２２ｂ、右側板２２ｃおよび左側板２２ｄが設けられる。右側板２２ｃ及び左側板２２ｄは、共に、ハウジング２１の右壁部２６及び左壁部２７の外面に設置される。後側板２２ｂに関しては後述する。
【００２１】
図２に示すように、ハウジング２１の後壁部２５、右壁部２６、左壁部２７及び底壁部２８、さらには金属カバー２２の天井板２２ａにて囲まれたカード装着領域２９が形成されている。
【００２２】
図５，図６に示すように、カード装着領域２９内部では、左壁部２７と一体的に形成されて、カード装着領域２９内に延びる案内壁３３が設けられている。
【００２３】
図５に示すように、案内壁３３よりも手前側（Ｙ１側）のカード装着領域２９内部には、規制昇降部材３２が設けられている。規制昇降部材３２は、底壁部２８に形成された切欠き部から上方へ突出し、図示しないばね部材により、規制昇降部材３２は突出姿勢に向けて付勢されている。また、規制昇降部材３２のカード装着領域２９の挿入口側に向く面は、傾斜面３２ａとなっている。この傾斜面３２ａは、カード装着領域２９の奥行き側（Ｙ２側）に向かうにしたがって、底壁部２８の上面から徐々に高くなる形状である。
【００２４】
図５及び図６などに示すように、ハウジング２１の右側では、底壁部２８の上面に前後方向（Ｙ１−Ｙ２方向）に延びるガイド部３４が形成されている。このガイド部３４は、底壁部２８から隆起形成されたレールである。ハウジング２１の右壁部２６の内側にはスライダ４１が設けられており、このスライダ４１が、前記ガイド部３４に沿って、前後方向へ直線的に往復移動自在に支持されている。
【００２５】
スライダ４１の左側部には、内側面４１ａが形成されている。内側面４１ａはカードをカード装着領域２９に挿入したときの案内面である。
【００２６】
スライダ４１とハウジング２１との間には、コイルばねなどの付勢部材（図示しない）が設けられており、スライダ４１は、前壁部２４に向けて手前側（Ｙ１側）へ付勢されている。
【００２７】
図５、図６等に示すように、スライダ４１とハウジング２１との間には、スライダ４１を奥側（Ｙ２側）でロックするためのロック機構３５が設けられている。ロック機構３５は、スライダ４１の上面に形成された溝カム４２と、ハウジング２１に設けられたロックピン３６とで構成されている。
【００２８】
ロックピン３６は、基端部３６ａと先端部３６ｂが直角に折り曲げられている。ロックピン３６の基端部３６ａは、回動自在に支持されている。ロックピン３６の先端部３６ｂは、溝カム４２内に摺動自在に挿入されている。図１に示すように、金属板で形成された金属カバー２２の天井板２２ａには、右手前側にロック板ばね３７が一体に形成されている。このロック板ばね３７は、天井板２２ａの一部を切り抜いて形成された片持ち支持ばねである。ロックピン３６はこのロック板ばね３７によって押圧され、先端部３６ｂが溝カム４２の溝底部に押し付けられている。
【００２９】
図５に示すように、溝カム４２は、奥側（Ｙ２側）の端部に位置するロック解除部４２ａと、このロック解除部４２ａよりも手前側（Ｙ１側）に位置するロック部４２ｂを有している。ロック解除部４２ａとロック部４２ｂとの間には、左側に往路溝４２ｃが形成され、右側に復路溝４２ｄが形成されている。溝カム４２の内部では、ロック解除部４２ａ，往路溝４２ｃ，ロック部４２ｂ，復路溝４２ｄの各部の境界部に段差が形成されており、ロックピン３６の先端部３６ｂは、ロック解除部４２ａ→往路溝４２ｃ→ロック部４２ｂ→復路溝４２ｄ→ロック解除部４２ａの順でのみ摺動でき、その逆の行程を辿ることができないようになっている。
【００３０】
図５では、スライダ４１が付勢部材によって手前側（Ｙ１側）へ移動させられて、ハウジング２１の前壁部２４に突き当てられている。このとき、ロックピン３６の先端部３６ｂは、溝カム４２のロック解除部４２ａ内に位置している。カードＣがカード装着領域２９の挿入口から挿入され、カードＣと共にスライダ４１が奥側（Ｙ２側）へ移動すると、ロックピン３６の先端部３６ｂが溝カム４２のロック部４２ｂに至り、スライダ４１は手前側（Ｙ１側）へ戻らないようにロックされる。
【００３１】
その後、カードＣを押してスライダ４１を短い距離だけ奥側（Ｙ２側）へ移動させると、ロックピン３６の先端部３６ｂが、溝カム４２のロック部４２ｂから抜け出て、スライダ４１のロックが解除される。
【００３２】
図５に示すように、スライダ４１には、内側面４１ａよりも奥側（Ｙ２側）の上面に窪み部４１ｂが形成されている。この窪み部４１ｂの手前側には上方に突出する支持ピン４３が、合成樹脂材料によってスライダ４１と一体に形成されており、この支持ピン４３に識別アーム４４が回動自在に支持されている。
【００３３】
図５に示すように、識別アーム４４の基部には、左方向へ一体に突出する識別凸部４４ａが設けられている。
【００３４】
図５に示すように、スライダ４１の奥端部には、内側面４１ａよりも左側に張り出している基準ストッパ部４５が一体に形成されている。
【００３５】
図５に示すように、スライダ４１の奥端部には、基準ストッパ部４５の右側において左右方向に延びるストッパガイド部４６が一体に形成されている。このストッパガイド部４６には、可動ストッパ部４７が左右方向へ摺動自在に支持されている。可動ストッパ部４７の上面には連結ピン４７ａが一体に形成されている。識別アーム４４の先部には長穴４４ｃが形成され、連結ピン４７ａが長穴４４ｃ内に摺動自在に挿入されている。よって、スライダ４１上では、識別アーム４４の回動動作に伴なって、可動ストッパ部４７が左右方向へ移動する。
【００３６】
図５に示すように、スライダ４１の手前側（Ｙ１側）の上面には、保持凹部４１ｃが形成されており、この保持凹部４１ｃ内に、保持部材として機能する保持板ばね５２が設けられている。保持板ばね５２は、板ばね材料として機能する金属板で形成されており、Ｕ字状に曲げられて保持凹部４１ｃ内に嵌着されている。
【００３７】
保持板ばね５２の自由端には、保持部５３が一体に形成されており、この保持部５３が、スライダ４１の内側面４１ａよりも図示左側に突出している。保持部５３は、Ｖ字状に曲げられている。
【００３８】
図５に示すように、ハウジング２１の奥側（Ｙ２側）には、複数の第１の端子部材５５が設けられている。第１の端子部材５５は、図６に示すカードＣの裏面に露出している外部接続部（図示しない）と同じ数で且つ同じピッチで配列している。ハウジング２１の底部奥側には、端子支持板５７が設けられ、この端子支持板５７に複数の小孔５７ａが上下に貫通して形成されている。図５に示すように、第１の端子部材５５は、上向きに山形に折り曲げられており、それぞれが小孔５７ａ内から上方へ突出している。第１の端子部材５５は、小孔５７ａ内へ後退できるように弾性変形自在である。
【００３９】
それぞれの第１の端子部材５５は、カード装着領域２９の奥行き側（Ｙ２側）に位置する後壁部２５の外面２５ｂから突出して外部に露出している。第１の端子部材５５は、表面に金などの低抵抗の貴金属材料がメッキされた導電性の金属板で形成されている。
【００４０】
この実施形態では、第１の端子部材５５よりもカード装着領域２９の挿入口側に、第２の端子部材５８が設けられている。第２の端子部材５８は、図６とは別のカード（例えば、「microＳＤカード」と称されているものと同じ形状である）の下面に露出する外部接続部と同じ数で且つ同じピッチで配列している。ハウジング２１の底部には可動支持板６１が設けられ、この可動支持板６１に複数の小孔６１ａが上下に貫通して形成されている。それぞれの第２の端子部材５８は上向きに山形に折り曲げられており、それぞれの第２の端子部材５８は、小孔６１ａから上方へ突出している。
【００４１】
図５に示すように、それぞれの第２の端子部材５８は、ハウジング２１の底部において手前側（Ｙ１側）へ突出している。第２の端子部材５８は、表面に金などの低抵抗の貴金属材料がメッキされた導電性の金属板で一体に形成されている。
【００４２】
カードコネクタ２０のカード装着領域２９内へカードＣを挿入すると、図６に示すように、識別アーム４４が時計方向へ回動させられ、これに伴なって、スライダ４１上の可動ストッパ部４７が右方向へ移動させられる。
【００４３】
また上記の動作とともに、カードＣは、図５に示される規制昇降部材３２の傾斜面３２ａを摺動して、規制昇降部材３２の上に乗り上がり、規制昇降部材３２が押し下げられる。そして、カードＣの前端部が、スライダ４１の奥側に設けられた基準ストッパ部４５の基準ストッパ面に当たる。
【００４４】
この間、スライダ４１に設けられた保持板ばね５２の保持部５３は、カードＣの右側の凹部８の内部に嵌合する。
【００４５】
保持部５３が凹部８に嵌合した後に、カードＣを押し込むと、カードＣの前端部によって、スライダ４１に形成された基準ストッパ部４５が押され、カードＣとスライダ４１とが一体となって奥側へ移動する。そして、カードＣが装着完了位置に至ると、スライダ４１に形成された溝カム４２のロック部４２ｂが、ロックピン３６の先端部３６ｂに係止されて、スライダ４１がその位置でロックされる。
【００４６】
このとき、ハウジング２１の奥側に設けられた第１の端子部材５５のそれぞれが、カードＣの裏面に露出する外部接続部のそれぞれに弾圧して接続される。
【００４７】
なお、この実施形態では、装着されたカードＣを識別するための識別検知機構７０がカード装着領域２９の図示左側に設けられている。識別検知機構７０上には金属カバー２２の天井板２２ａと一体に形成された検知板ばね７６が変形させられてカード装着領域２９内に入り込んでいる。カードＣを挿入したときに、検知板ばね７６が上方に持ち上げられると、識別検知機構７０は、非導通状態になるように制御されており、一方、カードＣを挿入しても、検知板ばね７６が上方に持ち上げられずそのままであれば、識別検知機構７０は、導通状態に制御される。
【００４８】
図６に示すように、カードＣの図示左側には薄肉で形成された案内溝７があり、カードＣによって案内溝７の後端部に形成された傾斜部７ａの位置を変えることで、この傾斜部７ａにて検知板ばね７６が上方に持ち上げられるか否かを調整でき、カードＣの種別を識別検知機構７０の導通・非導通状態の検知により識別することが可能である。
【００４９】
なおカードＣを例えば裏返して誤挿入したとき、カードＣと共にスライダ４１が奥側へ押し込まれると、カードＣの後端部が、カード装着領域２９の左側に位置する案内壁３３に当たり、それ以上は、カードＣとスライダ４１が奥側へ移動できなくなる。このとき、ロック機構３５によりスライダ４１がロックされることはない。
【００５０】
図６に示すカードＣ以外に、例えば上記したように、「microＳＤカード」と称されているものと同じ形状であるカード（以下、小型カードと言う）をカード装着領域２９内に挿入すると、小型カードは、規制昇降部材３２とスライダ４１の内側面４１ａの間の幅寸法領域（図５参照）の内部を移動するようにして奥側へ向けて挿入される。
【００５１】
また、小型カードはその先端が識別アーム４４の識別凸部４４ａに当たらない。そのため、識別アーム４４は反時計方向へ回動したままであり、可動ストッパ部４７は左側へ移動したままである。そして、小型カードの前端部が、可動ストッパ部４７の手前側にあるストッパ面４７ｂに当接し、このとき、保持板ばね５２の保持部５３が、小型カードに設けられた凹部に嵌合する。
【００５２】
そのまま、小型カードをハウジング２１内に押し込むと、スライダ４１が一緒に押し込まれる。このとき、小型カードは案内壁３３に当たることなくハウジング２１の奥側まで挿入される。そして、ロックピン３６の先端部３６ｂが、溝カム４２のロック部４２ｂに掛止されて、スライダ４１がロックされる。
【００５３】
このとき、ハウジング２１の底部に設けられた第２の端子部材５８が、小型カードの裏面に設けられた外部接続部に個別に接続される。
【００５４】
以下では本実施形態におけるカードコネクタ２０の特徴的構成について説明する。
図８に示すように金属カバー２２は、天井板２２ａと、天井板２２ａから直角に折り曲げられて一体的に形成された後側板２２ｂ、右側板２２ｃおよび左側板２２ｄを備える。
【００５５】
図８に示すように、後側板２２ｂには、折り曲げ位置が異なる第１の後側板２２ｂ１と、第２の後側板２２ｂ２とが設けられる。第１の後側板２２ｂ１の幅方向及び第２の後側板２２ｂ２の幅方向は共に、Ｘ１−Ｘ２方向を向いている。すなわち第１の後側板２２ｂ１と第２の後側板２２ｂ２は互いに平行である。
【００５６】
第１の後側板２２ｂ１は、手前側（Ｙ１側）に位置し、第２の後側板２２ｂ２は奥側（Ｙ２側）に位置している。図８に示すように、第１の後側板２２ｂ１には係止孔２３が設けられている。この実施形態では、係止孔２３は２つであるが数は限定されない。
【００５７】
図５、図６、図７に示すように、ハウジング２１の後壁部２５のカード装着領域２９に向く内面２５ｃの下方領域には突出する段差部３０が設けられている。なお段差部３０には、上記したガイド部３４が一体形成されている。第１の端子部材５５は段差部３０内を貫通して後壁部２５の外面２５ｂから露出している。
【００５８】
段差部３０の上面にはＸ１−Ｘ２方向に向く溝部３１が形成されている。また図５，図６，図７に示すように、段差部３０の上方位置には、後壁部２５の内面２５ｃから突出する係止突起３８が設けられている。係止突起３８には上面側に傾斜面３８ａが形成される。また係止突起３８の下面側は後壁部２５の内面２５ｃから垂直に延びるロック面３８ｂとなっている。係止突起３８は、金属カバー２２の第１の後側板２２ｂ１に形成された係止孔２３と同数である。
【００５９】
図１、図２に示すように金属カバー２２の第１の後側板２２ｂ１は、ハウジング２１の後壁部２５の内面２５ｃ側に設置される。このとき、図２、図３に示すように、後壁部２５の内面２５ｃに形成された係止突起３８が、金属カバー２２の形成された係止孔２３に挿着されて、金属カバー２２がハウジング２１の後壁部２５に係止される。係止突起３８の上面は傾斜面３８ａのため、係止突起３８を係止孔２３に挿着しやすく、また挿着された後は、係止突起３８のロック面３８ｂにより金属カバー２２がハウジング２１の後壁部２５から抜け出るのを防止できる。
【００６０】
図２に示すように、金属カバー２２の第１の後側板２２ｂ１と、第１の端子部材５５との間には、突出する樹脂製の段差部３０が設けられ、第１の後側板２２ｂ１の下面６０が、段差部３０の上面と対向した状態となっている。このため、金属カバー２２と第１の端子部材５５との電気的接触を適切に防止でき、電気的信頼性を維持しつつ、カードコネクタ２０の薄型化を促進することが可能になる。
【００６１】
また、第１の後側板２２ｂ１を第２の後側板２２ｂ２と同位置で折り曲げ加工し、第１の後側板２２ｂ１を後壁部２５の外面２５ｂに設置し、段差部３０を外面２５ｂ側から突出させる形態でも、金属カバー２２と第１の端子部材５５との電気的接触を適切に防止できる。
【００６２】
従来のように、後壁部２５の外面２５ｂに向けて折り曲げ加工した場合には金属カバー２２と後壁部２５とは若干の隙間が生じてしまうことがあることから、金属カバー２２の後壁部２５の補強板としての機能が低下する恐れがあったが、図１，図２に示すように、金属カバー２２の第１の後側板２２ｂ１を後壁部２５の内面２５ｃに向けて折り曲げ加工して、後壁部２５よりも金属カバー２２がカードＣに直接対向するようにしたことで、金属カバー２２の第１の後側板２２ｂ１を後壁部２５の補強板として適切に用いることができる。図９のように、カードＣを必要以上に押圧し、カードが所定の装着位置よりもさらに奥行き方向（Ｙ２側）に移動したり、あるいはロック状態からカードを押してロックを解除するとき等に、カードが後壁部２５の内面２５ｃに当接しても後壁部２５の内面２５ｃに金属カバー２２を重ねることで、後壁部２５の強度を向上させることができる。そして従来より後壁部２５の厚みを薄くしても強度を保つことができるようになるので、カードコネクタ２０の小型化を促進させることが可能である。なお、スライダ４１が後壁部２５の内面２５ｃに当接する可能性がある場合には、第１の端子部材５５が設けられていない領域であるが、スライダ４１と対向する後壁部２５の内面２５ｃにも重ねて第１の後側板２２ｂ１が設置されるようにすることが好ましい。またこのとき、第１の後側板２２ｂ１の下方に段差部３０を設けるか否かは任意である。
【００６３】
図７等で説明したように、段差部３０の上面には溝部３１が設けられている。この溝部３１の幅は、第１の後側板２２ｂ１の厚みと同等かあるいはそれよりも若干大きく、第１の後側板２２ｂ１の下面６０が溝部３１内に進入可能となっている。図２の実施形態では、第１の後側板２２ｂ１の高さ寸法が、溝部３１内に入り込むほど大きくないが、第１の後側板２２ｂ１が溝部３１内に進入するほど、第１の後側板２２ｂ１の高さ寸法を大きくすると、第１の後側板２２ｂ１の面積が大きくなることと、第１の後側板２２ｂ１が溝部３１に係合されることで、第１の後側板２２ｂ１による補強効果をより向上させることができる。また、第１の後側板２２ｂ１の高さ寸法に関わらず、仮に、第１の後側板２２ｂ１が予期せぬ下方向への外力を受けて変形させられても、第１の後側板２２ｂ１の下面６０は溝部３１に進入可能なため、第１の後側板２２ｂ１と第１の端子部材５５とが電気的に接触するのを適切に防止することが可能である。
【００６４】
また上記実施形態では、ハウジング２１の後壁部２５の内面２５ｃと金属カバー２２の第１の後側板２２ｂ１間には係止手段としての係止孔２３及び係止突起３８が設けられている。これにより、より効果的に金属カバー２２を後壁部２５に係止できると共に、係止手段が後壁部２５の外面２５ｂから外方に突出して形成される形態に比べてカードコネクタ２０の小型化を促進できる。
【００６５】
また、図１、図４に示すように、金属カバー２２の第２の後側板２２ｂ２は、ハウジング２１の後壁部２５の外面２５ｂ側に設置される。第２の後側板２２ｂ２は、並設された第１の端子部材５５の側方領域に位置する。このように金属カバー２２の第１の後側板２２ｂ１と第２の後側板２２ｂ２とで、後壁部２５を挟み込む形となり、外力により金属カバー２２が後壁部２５から外れるのを適切に防止できる。
【００６６】
上記実施形態では、図７に示すように段差部３０はＸ１−Ｘ２方向に長いレール状で形成されているが、例えばＸ１−Ｘ２方向に間隔を空けて複数の段差部３０が並設される形態等であってもよい。
【００６７】
なお、カードコネクタ２０の全体構成を上記実施形態に限定するものでない。すなわち、例えば、上記実施形態では複数の形の異なるカードを挿入でき、またカードの種別を識別できるものであったが、１つのカードのみを挿入できる構造であってもよい。
【図面の簡単な説明】
【００６８】
【図１】カードコネクタ２０の平面図。
【図２】図１に示すＡ−Ａ線から高さ方向に切断し矢印方向から見たカードコネクタ２０の断面図。
【図３】図２に示すＢで囲まれた部分の拡大断面図。
【図４】図１に示す矢印Ｃ方向（カードコネクタ２０の背面側）から見たカードコネクタの背面図。
【図５】図１に示すカードコネクタ２０から金属カバーを外した状態を示す平面図。
【図６】カード装着領域にカードを挿入した状態を示すカードコネクタ２０の斜視図（ただし金属カバーを図面から除去している）。
【図７】ハウジング後端部付近の拡大斜視図。
【図８】金属カバーを背面側から見た斜視図。
【図９】カードが必要以上にカード装着領域内に挿入された状態を示すカードコネクタ２０の斜視図。
【符号の説明】
【００６９】
Ｃ  カード
２０  カードコネクタ
２１  ハウジング
２２  金属カバー
２２ａ  天井板
２２ｂ  後側板
２２ｂ１  第１の後側板
２２ｂ２  第２の後側板
２３  係止孔
２５  後壁部
２５ｂ  （後壁部の）外面
２５ｃ  （後壁部の）内面
２９  カード装着領域
３０  段差部
３１  溝部
３８  係止突起
４１  スライダ
５５  第１の端子部材
５８  第２の端子部材
【図１】
2009170292.tif 000003
【図２】
2009170292.tif 000004
【図３】
2009170292.tif 000005
【図４】
2009170292.tif 000006
【図５】
2009170292.tif 000007
【図６】
2009170292.tif 000008
【図７】
2009170292.tif 000009
【図８】
2009170292.tif 000010
【図９】
2009170292.tif 000011